(57)【特許請求の範囲】
【請求項１】
運転者からの視角と同乗者からの視角とで異なった映像が表示可能な表示画面と、
運転者から見る映像にはその運転者が操作するための運転者用の操作アイコンを表示し、同乗者から見る映像にはその同乗者が操作するための同乗者用の操作アイコンを表示するものであり、前記運転者用の操作アイコンと前記同乗者用の操作アイコンとは、前記表示画面において位置をずらして配置されるように表示する表示制御手段と、を備える車両用表示装置において、
前記運転者用の操作アイコンと前記同乗者用の操作アイコンとの位置をずらす場合、前記同乗者用の操作アイコンの配置については、前記表示画面における位置が不規則となるように、その位置を決定する位置決定手段と、
前記操作アイコンを操作するための操作手段を備え、
前記位置決定手段は、前記操作手段によって操作する毎に前記表示画面における位置が不規則となるように、その位置を決定し、
前記表示制御手段は、前記位置決定手段の決定した位置に同乗者用の操作アイコンが配置されるように表示し、且つ、前記操作手段により前記同乗者用の操作アイコンを操作することで前記運転者から見る映像を変更する場合、前記運転者から見る映像を変更するための同乗者用の全ての操作アイコンへの操作が完了した後に、前記運転者から見る映像を変更することを特徴とする車両用表示装置。
【請求項２】
運転者からの視角と同乗者からの視角とで異なった映像が表示可能な表示画面と、
運転者から見る映像にはその運転者が操作するための運転者用の操作アイコンを表示し、同乗者から見る映像にはその同乗者が操作するための同乗者用の操作アイコンを表示するものであり、前記運転者用の操作アイコンと前記同乗者用の操作アイコンとは、前記表示画面において位置をずらして配置されるように表示する表示制御手段と、を備える車両用表示装置において、
前記運転者用の操作アイコンと前記同乗者用の操作アイコンとの位置をずらす場合、前記同乗者用の操作アイコンの配置については、前記表示画面における位置が不規則となるように、その位置を決定する位置決定手段と、
前記操作アイコンを操作するための操作手段と、
車両が停止中である、停止中ではないを判定する停止判定手段と、
前記停止判定手段が停止中ではないと判定した場合、前記操作手段による前記運転者用の操作アイコンへの操作を無効とするための処理を行う操作無効処理手段とを備え、
前記表示制御手段は、前記位置決定手段の決定した位置に同乗者用の操作アイコンが配置されるように表示し、且つ、前記運転者から見る映像に表示された前記運転者用の操作アイコンへの操作が完了する前に、前記車両が発進することで前記操作無効処理手段により前記運転者用の操作アイコンへの操作が無効とされた場合、前記同乗者から見る映像に、その操作を完了するために必要な同乗者用の操作アイコンを表示することを特徴とする車両用表示装置。
【請求項３】
前記位置決定手段は、前記表示画面において最終的に操作する同乗者用の操作アイコンの配置について、前記表示画面における位置が不規則となるように、その位置を決定し、
前記表示制御手段は、前記位置決定手段の決定した位置に、前記表示画面において最終的に操作する同乗者用の操作アイコンが配置されるように表示することを特徴とする請求項１または２記載の車両用表示装置。
【請求項４】
前記位置決定手段は、前記操作手段によって操作する毎に前記表示画面における位置が不規則となるように、その位置を決定することを特徴とする請求項２記載の車両用表示装置。
【請求項５】
前記表示制御手段は、前記操作手段により前記同乗者用の操作アイコンを操作することで前記運転者から見る映像を変更する場合、前記運転者から見る映像を変更するための同乗者用の全ての操作アイコンへの操作が完了した後に、前記運転者から見る映像を変更することを特徴とする請求項４記載の車両用表示装置。 
【発明の詳細な説明】
【技術分野】
【０００１】
本発明は、車両用表示装置に関するものである。
【背景技術】
【０００２】
従来、運転席側と助手席側とで異なった映像を表示可能な表示器を含む映像表示装置において、操作者を判別することが可能な技術が提案されている（例えば、特許文献１参照。）。この特許文献１に記載の技術によれば、各視角においてそれぞれの機能毎のスイッチが、スイッチを示す座標の範囲が異なるように配置する。具体的には、図４に示すように、助手席側から見ることのできる映像Ｂに表示される映像Ｂ用スイッチ２２ａ、２２ｃ、２２ｅと、運転席側から見ることのできる映像Ａに表示される映像Ａ用スイッチ２２ｂ、２２ｄ、２２ｆと、の表示位置をずらして配置する。
【特許文献１】特開２００７−１３４２号公報
【発明の開示】
【発明が解決しようとする課題】
【０００３】
しかしながら、上記特許文献１に記載の技術では、操作者が、助手席側から見ることのできる映像Ｂに表示される映像Ｂ用スイッチ２２ａ、２２ｃ、２２ｅの位置を事前に把握していれば、運転席側の操作者であっても操作可能となるので、正確に操作者を判別できない。従って、車両走行中に助手席側からの操作を可能とし、運転席側からの操作をできなくすることができなかった。
【０００４】
本発明は、上記の問題を鑑みてなされたもので、車両走行中に助手席側からの操作を可能とし、運転席側からの操作をできなくする車両用表示装置を提供することを目的とする。
【課題を解決するための手段】
【０００５】
請求項１記載の発明は、運転者からの視角と同乗者からの視角とで異なった映像が表示可能な表示画面と、
運転者から見る映像にはその運転者が操作するための運転者用の操作アイコンを表示し、同乗者から見る映像にはその同乗者が操作するための同乗者用の操作アイコンを表示するものであり、運転者用の操作アイコンと同乗者用の操作アイコンとは、表示画面において位置をずらして配置されるように表示する表示制御手段と、を備える車両用表示装置において、
運転者用の操作アイコンと同乗者用の操作アイコンとの位置をずらす場合、同乗者用の操作アイコンの配置については、表示画面における位置が不規則となるように、その位置を決定する位置決定手段と、
操作アイコンを操作するための操作手段を備え、
位置決定手段は、操作手段によって操作する毎に表示画面における位置が不規則となるように、その位置を決定し、
表示制御手段は、位置決定手段の決定した位置に同乗者用の操作アイコンが配置されるように表示し、且つ、操作手段により同乗者用の操作アイコンを操作することで運転者から見る映像を変更する場合、運転者から見る映像を変更するための同乗者用の全ての操作アイコンへの操作が完了した後に、運転者から見る映像を変更することを特徴とする。
また、請求項２記載の発明は、運転者からの視角と同乗者からの視角とで異なった映像が表示可能な表示画面と、
運転者から見る映像にはその運転者が操作するための運転者用の操作アイコンを表示し、同乗者から見る映像にはその同乗者が操作するための同乗者用の操作アイコンを表示するものであり、運転者用の操作アイコンと同乗者用の操作アイコンとは、表示画面において位置をずらして配置されるように表示する表示制御手段と、を備える車両用表示装置において、
運転者用の操作アイコンと同乗者用の操作アイコンとの位置をずらす場合、同乗者用の操作アイコンの配置については、表示画面における位置が不規則となるように、その位置を決定する位置決定手段と、
操作アイコンを操作するための操作手段と、
車両が停止中である、停止中ではないを判定する停止判定手段と、
停止判定手段が停止中ではないと判定した場合、操作手段による運転者用の操作アイコンへの操作を無効とするための処理を行う操作無効処理手段とを備え、
表示制御手段は、位置決定手段の決定した位置に同乗者用の操作アイコンが配置されるように表示し、且つ、運転者から見る映像に表示された運転者用の操作アイコンへの操作が完了する前に、車両が発進することで操作無効処理手段により運転者用の操作アイコンへの操作が無効とされた場合、同乗者から見る映像に、その操作を完了するために必要な同乗者用の操作アイコンを表示することを特徴とする。
【０００６】
このように本発明は、運転者用の操作アイコンと同乗者用の操作アイコンとの位置をずらす場合、同乗者用の操作アイコンの位置が表示画面において不規則に配置されるようにその位置を決定し、表示制御手段により、その決定した位置に同乗者用の操作アイコンが配置されるように表示する。これにより、運転者は、同乗者用の操作アイコンの位置を事前に把握することができなくなるため、運転席側からの操作ができなくなる。一方、同乗者は、不規則に配置された同乗者用の操作アイコンの位置を認識して、操作することが可能となる。
また、請求項１の発明では、表示制御手段は、操作手段による操作毎に、同乗者用の操作アイコンの位置が不規則に配置されるように表示することが可能となるので、運転席側からの操作をより一層できなくすることができる。
また、請求項１の発明では、同乗者が同乗者用の操作アイコンへの操作を行う毎に運転者から見る映像を随時変更しなくなるので、運転者は、同乗者が操作中の表示画面に気を取られることがなくなる。
一方、請求項２の発明では、運転者用の操作アイコンへの操作が完了する前に車両が動き出したら運転者の操作は無効となるが、同乗者の操作は無効とならない（有効のままである）ので、同乗者の操作により目的の操作を完了することができるようになる。
【０００７】
請求項３記載の発明によれば、位置決定手段は、表示画面において最終的に操作する同乗者用の操作アイコンの配置について、表示画面における位置が不規則となるように、その位置を決定し、表示制御手段は、位置決定手段の決定した位置に、表示画面において最終的に操作する同乗者用の操作アイコンが配置されるように表示することを特徴とする。
【０００８】
少なくとも最終的に操作する同乗者用の操作アイコンの位置さえ不規則に配置されるように表示すれば、操作を完了することができなくなるからである。
【０００９】
請求項４記載の発明では、位置決定手段は、操作手段によって操作する毎に表示画面における位置が不規則となるように、その位置を決定することを特徴とする。
【００１０】
これにより、表示制御手段は、操作手段による操作毎に、同乗者用の操作アイコンの位置が不規則に配置されるように表示することが可能となるので、運転席側からの操作をより一層できなくすることができる。
【００１１】
請求項５記載の発明によれば、表示制御手段は、操作手段により同乗者用の操作アイコンを操作することで運転者から見る映像を変更する場合、運転者から見る映像を変更するための同乗者用の全ての操作アイコンへの操作が完了した後に、運転者から見る映像を変更することを特徴とする。
【００１２】
これにより、同乗者が同乗者用の操作アイコンへの操作を行う毎に運転者から見る映像を随時変更しなくなるので、運転者は、同乗者が操作中の表示画面に気を取られることがなくなる。
【発明を実施するための最良の形態】
【００１５】
以下、本発明の実施の形態を、図面に示す実施例を参照しながら説明する。図１は本発明の車両用表示装置を車両用ナビゲーション装置に適用した場合の全体構成を示すブロック図である。車両用ナビゲーション装置（以下、ナビゲーション装置）１００は、主に、表示装置１０と制御装置２０から構成される。
【００１６】
表示装置１０は、車両の室内のインストルメントパネル付近に設置して使用されるもので、表示部１１と操作部１２から構成される。表示部１１は、異なる２つの方向から別々の映像が全画面表示される２画面表示ディスプレイ（表示画面）である。また、表示部１１は周知のカラー液晶表示器で構成され、ドット・マトリックスＬＣＤ（Liquid  Crystal  Display）およびＬＣＤ表示制御を行なうためのドライバ回路を含んで構成されている。ドライバ回路は、例えば、画素毎にトランジスタを付けて目的の画素を確実に点灯させたり消したりすることができるアクティブマトリックス駆動方式が用いられ、制御装置２０から送られる表示指令および表示画面データに基づいて表示を行なう。また、表示器として有機ＥＬ（ElectroLuminescence：電界発光）表示器やプラズマ表示器を用いてもよい。
【００１７】
表示部１１の構成については、特開２００７−１３４２号公報（段落番号００３７−００３８、第７図及び第８図）に開示されているので、その詳しい説明については省略する。この表示部１１を車両後方に向けて配置することにより、運転席（運転者）からの視角と助手席（同乗者）からの視角とで異なった映像が表示可能となり、運転者は運転者から見ることのできる運転者側の画面を、また、同乗者は助手席から見ることのできる助手席側の画面を見るようになる。なお、表示部１１に表示する映像は静止画像、動画のいずれでもよい。また、運転者側の画面と助手席側の画面とは同一の映像が表示されても異なる映像が表示されてもよい。
【００１８】
操作部１２は、例えば表示部１１と一体になったタッチパネル（もしくはメカニカルなスイッチ）が用いられる。タッチパネルは、表示部１１上にガラス基盤と透明なフィルムにスペーサと呼ばれる隙間を介してＸ軸方向、Ｙ軸方向に電気回路が配線され、フィルム上を運転者や同乗者がタッチすると、押された部分の配線がショートして電圧値が変わるため、これを２次元座標値（Ｘ，Ｙ）として検出する、いわゆる抵抗膜方式が広く用いられる。その他に、縦横に微細に配置された赤外線センサ、赤外線センサが検出した指等の接触を電気信号に変えるパネル部分、電気信号を外部機器へ送るための信号処理回路、および、これらを制御するコントローラを含んで構成され、例えば指やタッチペンなどでその赤外線を遮断すると、その遮断した位置が２次元座標値（Ｘ，Ｙ）として検出される方式を用いてもよい。あるいは、透明な導電性基盤のガラス面に電気信号を受ける物質を塗布し、指をガラス面に近づけると静電容量の変化を電気信号としてセンサで検知する、いわゆる静電容量方式を用いてもよい。
【００１９】
この操作部１２は、タッチパネルの他に、マウスやカーソル等のポインティングデバイスを用いてもよい。また、いずれも図示しないマイクおよび音声認識ユニットを用いて種々の指示を入力することも可能である。これは、音声認識ユニットに接続されるマイクから音声を入力することによって、その音声信号を周知の音声認識技術により音声認識処理して、その結果に応じた操作コマンドに変換するものである。音声認識ユニットは、マイクから入力された音声信号を適切なレベルに増幅する増幅器と、増幅後の音声信号をＡ／Ｄ変換した後、周知の隠れマルコフモデル等の音声認識アルゴリズムにより音声を識別するための音声信号処理装置（ＤＳＰ：Digital  Signal  Processor）、音声を識別するための基準データが記憶されているメモリ等で構成されており、ＤＳＰにより音声信号がその音声に対応した数値情報に変換された後、制御装置２０に送られる。これらによって、種々の指示を入力することが可能である。
【００２０】
制御装置２０は、通常のコンピュータとして構成されており、周知のＣＰＵ２１、ＲＯＭやＲＡＭなどのメモリ２２、入出力回路であるＩ／Ｏ（不図示）、走行状態検出部２３、自車位置検出部２４、データ格納部２５、およびこれらの構成を接続するバスライン（不図示）が備えられている。メモリ２２には、ＣＰＵ２１が実行するためのプログラムが記憶されており、このプログラムに従ってＣＰＵ２１が演算処理を行う。
【００２１】
走行状態検出部２３は、車速パルス信号、シフトポジション信号、ブレーキＯＮ／ＯＦＦ信号などの各種の車両からの信号を入力して、車両の走行状態（走行中、停止中）を検出する。自車位置検出部２４は、いずれも周知の地磁気センサ、ジャイロスコープ、距離センサ、および衛星からの電波に基づいて車両の位置を検出するＧＰＳのためのＧＰＳ受信機を有している。これらのセンサは各々が性質の異なる誤差を持っているため、複数のセンサにより各々補完しながら使用するように構成されている。なお、精度によっては前述したうちの一部センサで構成してもよく、さらに、ステアリングの回転センサや各転動輪の車輪センサすなわち車速センサ等を用いてもよい。
【００２２】
データ格納部２５には、位置検出の精度向上のためのいわゆるマップマッチング用データ、道路の接続を表した道路データを含む地図データが記憶される。地図データは、表示用となる所定の地図映像情報を記憶すると共に、リンク情報やノード情報等を含む道路網情報を記憶する。リンク情報は、各道路を構成する所定の区間情報であって、位置座標、距離、所要時間、道幅、車線数、制限速度等から構成される。また、ノード情報は、交差点（分岐路）等を規定する情報であって、位置座標、右左折車線数、接続先道路リンク等から構成される。また、リンク間接続情報には、通行の可／不可を示すデータなどが設定されている。
【００２３】
このような構成を持つことにより、ナビゲーション装置１００は、制御装置２０のＣＰＵ２１によりプログラムが起動されると、運転者や同乗者がタッチパネルへの入力操作によって、表示部１１に表示されるメニュー画面から目的地経路を表示部１１に表示させるための経路案内処理に対応する操作アイコンを選択した場合、次のような処理を実施する。
【００２４】
即ち、運転者や同乗者が地図上の任意の地点、あるいは施設検索や住所検索、登録地などから地点を選択して目的地として設定すると、ＧＰＳ受信機から得られる衛星のデータに基づき車両の現在位置が求められ、この現在位置から目的地までの最適な案内経路を求める処理が行われる。そして、表示部１１の道路地図に案内経路を重ねて表示し、車両が案内実施点に到達すると案内メッセージを表示したり、スピーカ（不図示）から出力したりする。このような自動的に最適な案内経路を設定する手法は、ダイクストラ法等の手法が知られている。
【００２５】
次に、図２〜図４を参照しながら、表示部１１に表示する操作アイコンの詳細について説明する。表示部１１には、図２に示すように、運転者や同乗者が操作するための操作アイコン（「戻る」、「完了」など）が表示され、この操作アイコン上をタッチ操作することで、その位置が検出され、その検出した位置に表示された操作アイコンを運転者や同乗者が選択したものとして、その選択した操作アイコンに対応する機能を実行する。
【００２６】
ここで、運転者側の画面に表示される運転者が操作するための運転者用の操作アイコンと、助手席側の画面に表示される同乗者が操作するための同乗者用の操作アイコンとは、同一の機能を実行する操作アイコンを対象に、表示部１１における位置をずらして配置する（特開２００７−１３４２号公報、第４図）ものであるが、運転者用の操作アイコンと同乗者用の操作アイコンとの位置をずらす場合、前記公報の第４図のように、同乗者用の操作アイコンのずらす位置を固定してしまうと、その位置を運転者が事前に把握していれば、運転席側の操作者である運転者であっても操作可能となる。従って、車両走行中に助手席側からの操作を可能とし、運転席側からの操作をできなくすることができない。
【００２７】
そこで、本実施形態では、運転者用の操作アイコンと同乗者用の操作アイコンとの位置をずらす場合、同乗者用の操作アイコンの配置については、表示部１１における位置が不規則となるように、その位置を決定し（位置決定手段）、その決定した位置に同乗者用の操作アイコンが配置されるように表示する（表示制御手段）。これにより、運転者は、同乗者用の操作アイコンの位置を事前に把握することができなくなるため、運転席側からの操作ができなくなる。一方、同乗者は、不規則に配置された同乗者用の操作アイコンの位置を認識して、操作することが可能となるのである。
【００２８】
このように、表示部１１に表示される同乗者用の操作アイコンの位置を不規則にする場合、同乗者にとって使い勝手が悪くなるので、どの位置にずらしたのか（移動したのか）が分かるようにすることが好ましい。例えば、図３に示すように、表示部１１において、同乗者用の操作アイコンの移動をデフォルトの位置から矢印にて変更場所が分かるように表示するとよい。
【００２９】
また、例えば、図４に示すように、表示部１１において、同乗者用の操作アイコンの移動軌跡が分かるように表示するとよい。図４の移動軌跡の表示に関しては、同乗者用の操作アイコンのサイズを小から大に変更したり、淡色から濃色に変更したりしてもよい。
【００３０】
また、図５に示すように、表示部１１において、同乗者用の操作アイコンを移動する表示効果を可能とする移動表示可能範囲ＧＤと、同乗者用の操作アイコンを移動する表示効果を禁止する移動表示禁止範囲ＮＧを予め設定しておき、移動表示可能範囲ＧＤにおいて、不規則に配置されるように表示するようにしてもよい。これにより、同乗者用の操作アイコンが表示部１１の中央部付近に配置されず、移動表示可能範囲ＧＤにおいて不規則に配置されるようになるので、表示部１１の中央部に表示される内容が確認しにくくなるのを防ぐことができる。
【００３１】
図６に示すフローチャートを参照しながら、ナビゲーション装置１００の動作について説明する。なお、以下の説明では、目的地の設定を実行する場合を例に説明する。先ず、ナビゲーション装置１００が起動すると、ステップＳ１０では、目的地設定を含む各メニューのメニュー画面を運転者側の画面と助手席側の画面の両方に表示する。このメニュー画面においても、運転者側の画面にのみ表示される運転者用の操作アイコンと、助手席側の画面にのみ表示される同乗者用の操作アイコンとの位置がずれて表示されている。
【００３２】
ステップＳ２０では、表示部１１へのタッチ操作（入力操作）が有ったか（検出したか）を判定する。このステップＳ２０にて肯定判定した場合にはステップＳ３０へ処理を進め、否定判定した場合にはタッチ操作が有るまで待機状態を維持する。ステップＳ３０では助手席側からの操作かどうかを判定する。このステップＳ３０にて肯定判定した場合にはステップＳ４０へ処理を進め、否定判定した場合（運転席側からの操作である場合）にはステップＳ１００へ処理を移行する。このステップＳ３０の判定処理では、メニュー画面において運転者用の操作アイコンと同乗者用の操作アイコンとの位置がずれて表示されているので、タッチ操作した位置から判定することができる。
【００３３】
ステップＳ４０では、助手席側の画面のみメニュー画面から目的地設定画面に更新し、運転席側の画面はメニュー画面から目的地設定画面へ更新せずに、メニュー画面を継続して表示する。運転席側の画面は、後述するステップＳ８０において、目的地を設定するための全ての操作アイコンへの操作が完了したと判定された場合に、ステップＳ９０にて、目的地設定結果の画面に更新する。
【００３４】
このように、同乗者用の操作アイコンを操作することで運転席側の画面が変更される場合、運転席側の画面を変更するための同乗者用の全ての操作アイコンへの操作が完了した後に変更することで、同乗者が同乗者用の操作アイコンへの操作を行う毎に運転席側の画像を随時変更しなくなるので、運転者は、同乗者が操作中の表示部１１に気を取られることがなくなる。
【００３５】
ステップＳ５０では、助手席側の画面に表示する目的地設定画面の同乗者用の操作アイコンの位置をランダムに決定する。これにより、運転者用の操作アイコンと同乗者用の操作アイコンとの位置をずらず場合に、その同乗者用の操作アイコンの配置については、表示部１１における位置が不規則となるように、その位置が決定される。このようにして、同乗者用の操作アイコンが確実に同乗者からしか操作できなくする。
【００３６】
ステップＳ６０では、同乗者用の操作アイコンのずらし（移動）の表示効果（例えば、図３に示したように矢印で移動を表示するか、図４に示したように軌跡で移動を表示するか等）を決定する。ステップＳ７０では、同乗者用の操作アイコンとその移動の表示効果を同乗者側の画面に表示するための描画処理を行う。ステップＳ８０では、目的地設定のための全ての操作アイコンへの操作が完了したかどうかを判定する。このステップＳ８０にて肯定判定した場合にはステップＳ９０へ処理を進め、否定判定した場合にはステップＳ２０へ処理を戻して、上述した処理を繰り返し実行する。ステップＳ９０では、目的地設定のための全ての操作アイコンの操作が完了したので、運転席側の画面をメニュー画面から目的地設定結果の画面に更新する。
【００３７】
このステップＳ２０からステップＳ８０が繰り返されることで、同乗者用の操作アイコンを操作する毎に、表示部１１における同乗者用の操作アイコンの位置が不規則となるように配置されることになるので、運転席側からの操作をより一層できなくすることができる。
【００３８】
ステップＳ１００では車両が停止中であるか、もしくは停止中ではないかを判定する。このステップＳ１００にて肯定判定（車両停止中）と判定した場合にはステップＳ１１０へ処理を進め、否定判定（車両停止中ではない、つまり走行中である）と判定した場合にはステップＳ１３０へ処理を進める。
【００３９】
ステップＳ１１０では運転者による運転者用の操作アイコンへの操作は有効（車両停止中の操作）であるとして、ステップＳ１２０では、運転者側の画面として、その操作アイコンへの操作に応じた操作画面を表示する。この操作画面に表示（描画）する運転者用の操作アイコンの位置は、初期値（デフォルト値）とすることで、運転者用の操作アイコンの位置を固定にする。
【００４０】
ステップＳ１３０では、運転者による運転者用の操作アイコンへの操作は無効（車両走行中の操作）であるとして、その操作を無効とするための処理を行う（操作無効処理手段）。この処理により、操作アイコンに応じた操作画面の表示は行わず、操作前の画面に維持されるようになる。
【００４１】
なお、車両停止中に、運転者が目的地を設定するための運転者用の操作アイコンへの操作を行っているとき、その目的地設定の操作が完了するまえに車両を発進させたことによって、それ以降の運転者用の操作アイコンへの操作が無効とされた場合、次に車両を停止するのを待って、目的地設定の操作を継続しなければならなくなる。
【００４２】
そこで、このような場合には、ステップＳ４０にて、同乗者側の画面に目的地設定の操作を完了するために必要な同乗者用の操作アイコンを表示して、ステップＳ５０以降の処理を実行させるとよい。これにより、運転者用の操作アイコンへの操作が完了する前に車両が動き出したら運転者による運転者用の操作アイコンへの操作は無効となるが、同乗者による同乗者用の操作アイコンへの操作は無効とならない（有効のままである）ので、同乗者の操作により目的の操作を完了することができるようになる。
【００４３】
以上、本発明の好ましい実施形態について説明したが、本発明は上述した実施形態に何ら制限されることなく、本発明の主旨を逸脱しない範囲において、種々変形して実施することができる。
【００４４】
例えば、図２〜図４に示した「戻る」や「完了」などの操作アイコンのように、その画面において最終的に操作する同乗者用の操作アイコンの配置についてのみ、その位置が不規則となるようにしてもよい。少なくとも最終的に操作する同乗者用の操作アイコンの位置さえ不規則に配置されるように表示すれば、操作を完了したり、前の画面に戻ることができなくなるからである。
【００４５】
また、例えば、本実施形態では、同乗者用の操作アイコンを操作する毎に、表示部１１における同乗者用の操作アイコンの位置が不規則となるように配置するものであるが、例えば、操作画面を更新する毎に不規則となるように配置するようにしてもよい。
【図面の簡単な説明】
【００４６】
【図１】ナビゲーション装置１００の全体構成を示すブロック図である。
【図２】通常時の操作アイコンの表示例を示した図である。
【図３】操作アイコンの移動を矢印で示した例の図である。
【図４】操作アイコンの移動を軌跡で示した例の図である。
【図５】表示部１１において、操作アイコンを移動する表示効果を可能とする移動表示可能範囲ＧＤと、操作アイコンを移動する表示効果を禁止する移動表示禁止範囲ＮＧを示した図である。
【図６】ナビゲーション装置１００の動作を説明するためのフローチャートである。
【符号の説明】
【００４７】
１０：表示装置、１１：表示部、１２：操作部、２０：制御装置、２１：ＣＰＵ、２２：メモリ、２３：走行状態検出部、２４：自車位置検出部、２５：データ格納部、１００：ナビゲーション装置
【図１】
0005098596.tif 000002
【図２】
0005098596.tif 000003
【図３】
0005098596.tif 000004
【図４】
0005098596.tif 000005
【図５】
0005098596.tif 000006
【図６】
0005098596.tif 000007